(57)【特許請求の範囲】
【請求項１】
壁紙が張られた壁をリフォームする壁のリフォーム方法であって、
前記壁紙上から壁の一部を削り取ることによって、壁に配線を埋設するための凹溝を形成し、
次に、前記凹溝に配線を装填した後、この凹溝の開口部を覆い部材で壁表面とほぼ面一になるように覆い、
次に、前記壁に壁紙上から下地材を張り付け、この下地材上から前記壁に新たな壁紙を張り付けることを特徴とする壁のリフォーム方法。
【請求項２】
請求項１記載の壁のリフォーム方法において、
前記覆い部材は、横断面が凹状の長尺なチャンネル材であって、このチャンネル材の側壁の高さと、前記凹溝の深さとがほぼ等しく形成されており、
このチャンネル材を凹溝に嵌め込むことによって該凹溝の開口部を壁表面とほぼ面一になるように覆うことを特徴とする壁のリフォーム方法。
【請求項３】
請求項１また２の記載の壁のリフォーム方法において、
前記壁が、壁本体とこの壁本体に取付けられた石膏ボードとを備えており、
前記壁紙上から石膏ボードの一部を壁本体の表面まで削り取ることによって、前記凹溝を形成することを特徴とする壁のリフォーム方法。
【請求項４】
請求項１〜３のいずれかに記載の壁のリフォーム方法において、
前記覆い部材が鋼製であることを特徴とする壁のリフォーム方法。
【請求項５】
請求項１〜４のいずれかに記載の壁のリフォーム方法において、
前記覆い部材の背面を、前記下地材に接着することを特徴とする壁のリフォーム方法。
【発明の詳細な説明】
【０００１】
【発明の属する技術分野】
本発明は、建物内の壁紙の張替え時に、既存の壁紙を剥さずに新しい壁紙を張り付けることができる壁のリフォーム方法に関する。
【０００２】
【背景の技術】
近年住宅のリフォームが盛んになってきている。これまでの壁のリフォーム方法としては、下地材を含めて室内の仕上材を除去し、壁の表面を平坦にした後、新たに壁紙を張り付けることが主流であった。
一方、施工の合理化を目的として、下地材や仕上材をそのまま残して、その上に新しい仕上材を取付ける方法も提案されている。この方法としては、例えば特開２００１−１１５６２１号公報に記載されているように、壁紙を内装壁面に貼着するに際して、下貼り紙を内装壁面の全面又は一部に予め貼着することで、新たな下地壁を施工することなく、リフォーム前の既存の下地壁上に壁紙を容易に張り付けることができる技術が知られている。
【０００３】
【発明が解決しようとする課題】
ところで、新たな壁紙を壁に張り付けて壁をリフォームする際に、室内の配置換えにともなって、コンセントやスイッチ等に移設や増設のために、壁内での配線の移設や増設工事を行う場合がある。このような場合、下地材を含めて室内の仕上材を除去した後、新たに壁紙を張り付けるのであれば、壁内に施された配線の移設や増設工事も容易に行うことができる。
しかしながら、前記公報の技術では、壁内の移設や増設工事をするには、部分的に壁の表面を剥し、壁内に配線を施す必要があるため、その施工に手間がかかり、配線の移設や増設を容易に行うことができなかった。
【０００４】
本発明は上記事情に鑑みてなされたものであり、新たな壁紙を壁に張り付けて壁をリフォームする際に、壁内に配線を容易に移設や増設できる壁のリフォーム方法を提供することを目的としている。
【０００５】
【課題を解決するための手段】
以上の課題を解決するため、請求項１記載の発明は、例えば、図１〜図３に示すように、壁紙１が張られた壁２をリフォームする壁２のリフォーム方法であって、
前記壁紙１上から壁２の一部を削り取ることによって、壁２に配線３を埋設するための凹溝４を形成し、
次に、前記凹溝４に配線３を装填した後、この凹溝４の開口部５を覆い部材６で壁表面２ａとほぼ面一になるように覆い、
次に、前記壁２に壁紙１上から下地材７を張り付け、この下地材７上から前記壁２に新たな壁紙１０を張り付けることを特徴とする。
【０００６】
請求項１記載の発明によれば、新たな壁紙１０を壁２に張り付けて壁２をリフォームする際に、壁紙１上から壁２の一部を削り取って凹溝４を形成することによって、この凹溝４に新たな配線３を施すことができる。したがって、壁２内に配線３を容易に移設や増設できる。そして、配線３を装填した凹溝４を覆い部材６で覆い、壁２に壁紙１上から下地材７を張り付け、この下地材７上から壁２に新たな壁紙１０を張り付けることによって、壁紙１を剥すことなく、壁表面２ａに新たな壁紙１０を平坦に張り付けることができる。したがって、生じるゴミの量が少なく、新しい壁紙１０の張付作業が容易である。
【０００７】
請求項２記載の発明は、例えば、図１〜図３に示すように、請求項１記載の壁２のリフォーム方法において、
前記覆い部材６は、横断面が凹状の長尺なチャンネル材６０であって、このチャンネル材６０の側壁６０ａの高さ６０ｂと、前記凹溝４の深さ４ａとがほぼ等しく形成されており、
このチャンネル材６０を凹溝４に嵌め込むことによって該凹溝４の開口部５を壁表面２ａとほぼ面一になるように覆うことを特徴とする。
【０００８】
請求項２記載の発明によれば、覆い部材６はチャンネル材６０で形成されているので、凹溝４に容易に嵌め込むことができる。また、側壁６０ａの高さ６０ｂと、凹溝４の深さ４ａとがほぼ等しいので、チャンネル材６０を凹溝４の奥まで嵌め込むことによって、壁表面２ａが面一になる。よって、下地材７および新しい壁紙１０を壁表面２ａに平坦に張り付けることができる。さらに、チャンネル材６０の材料単価が安いので、壁２のリフォームコストの低廉化を図ることができる。
【０００９】
請求項３記載の発明は、例えば、図１〜図６に示すように、請求項１また２の記載の壁２のリフォーム方法において、
前記壁２が、壁本体２ｂとこの壁本体２ｂに取付けられた石膏ボード２ｃとを備えており、
前記壁紙１上から石膏ボード２ｃの一部を壁本体２ｂの表面２ｄまで削り取ることによって、前記凹溝４を形成することを特徴とする。
【００１０】
請求項３記載の発明によれば、壁紙１上から石膏ボード２ｃの一部を壁本体２ｂの表面２ｄまで削り取ることによって、壁本体２ｂを傷つけることなく、凹溝４を形成することができる。
【００１１】
請求項４記載の発明は、例えば、図１〜図３、図５および図６に示すように、請求項１〜３のいずれかに記載の壁２のリフォーム方法において、
前記覆い部材６が鋼製であることを特徴とする。
【００１２】
請求項４記載の発明によれば、覆い部材６が鋼製であるので、石膏ボート２ｃを削り取ったことで生じた壁２の防火上の不連続面をなくすことができる。また、この覆い部材６により、配線３を囲い込み防火することができる。
【００１３】
請求項５記載の発明は、例えば、図１、図２および図５に示すように、請求項１〜４のいずれかに記載の壁２のリフォーム方法において、
前記覆い部材６の背面６０ｃを、前記下地材７に接着することを特徴とする。
【００１４】
請求項５記載の発明によれば、覆い部材６の背面６０ｃを、下地材７に接着することによって、覆い部材６は壁２に張り付けられる下地材７に固定される。よって、覆い部材６自体を壁本体２ｂや石膏ボード２ｃに固定する必要がなくなり、壁２のリフォーム作業が容易となる。
【００１５】
【発明の実施の形態】
以下、図１〜図６を参照して本発明の実施の形態を詳細に説明する。なお、本実施の形態は、壁紙１が張られた壁２をリフォームする壁２のリフォーム方法であって、予め工場で製造された木質パネルを現場で組み付けることにより、床、壁、屋根などを構築するパネル工法を用いて構築された住宅に適用したものとして説明する。
【００１６】
壁２は、図１（ａ）、図２および図３に示すように、壁本体２ｂとこの壁本体２ｂに取付けられた石膏ボード２ｃとを備えている。壁本体２ｂは複数の壁パネル２２を連結することによって構成されている。この壁パネル２２は複数の框材２６を矩形枠状に組み立て枠体を形成し、この枠体内に補強桟材を縦横に取付け、枠体の両面に合板２１等を取付けたものである。そして、この壁パネル２２の表面には石膏ボード２ｃが現場または工場で取付けられており、この石膏ボード２ｃ上には壁紙１が張られている。
【００１７】
まず、図１（ｂ）に示すように、壁紙１上から石膏ボード２ｃの一部を壁パネル２２の表面２ｄまで、壁２の上端２ｅから床面２９のやや上方の位置２ｇまで延在するようにして削り取ることによって、壁２に配線３を埋設するための凹溝４を形成する。次に、図１（ｃ）に示すように、この凹溝４に配線３を装填し、覆い部材６を凹溝４に嵌め込むことによって該凹溝４の開口部５を壁表面２ａとほぼ面一になるように覆う。ここで、図６に示すように、石膏ボード２ｃが欠けたりして、覆い部材６の側壁６０ａと石膏ボード２ｃとの間に隙間３０が生じた場合には、この隙間３０にパテ３５等を充填させ、この隙間３０を埋める。
【００１８】
覆い部材６は、図１〜図３および図６に示すように、横断面が凹状の長尺な鋼製のチャンネル材６０であって、このチャンネル材６０の側壁６０ａの高さ６０ｂと、凹溝４の深さ４ａとがほぼ等しく形成されている。また、図３および図４に示すように、凹溝４の下端部の石膏ボード２ｃと合板２１を削り取り、コンセントＣの設置場所２５を設け、配線３の一部を設置場所２５に施す。
【００１９】
次に、図１（ｄ）および図１（ｅ）に示すように、壁紙１上と、チャンネル材６０の背面６０ｃとに接着剤を塗付し、壁紙１にチャンネル材６０の背面６０ｃを覆うようにして紙等で形成された下地材７を張り付ける。これによって、チャンネル材６０の背面６０ｃは、下地材７に接着される。そして、この下地材７上から壁２に新たな壁紙１０を張り付け、コンセントＣに配線３の一部を接続し、コンセントＣを設置場所２５に取付ける。ここで、新しい壁紙１０と下地材７との厚さはほぼ等しくなっている。
【００２０】
以上により、本実施の形態によれば、新たな壁紙１０を壁２に張り付けて壁２をリフォームする際に、壁紙１上から石膏ボード２ｃの一部を壁パネル２２の表面２ｄまで削り取って凹溝４を形成することによって、壁パネル２２を傷つけることなく、この凹溝４に新たな配線３を施すことができる。したがって、壁２内に配線３を容易に移設や増設できるとともに、この凹溝４に施された配線３の一部を新たなコンセントＣに容易に接続することができ、コンセントＣの位置も容易に変更することができる。
【００２１】
そして、チャンネル６０を凹溝４に嵌め込むことによって該凹溝４の開口部５を壁表面２ａとほぼ面一になるように覆い、壁２に壁紙１上とチャンネル材６０の背面６０ｃとから下地材７を張り付け、チャンネル材６０の背面６０ｃを、下地材７に接着することによって、チャンネル材６０は壁２に張り付けられる下地材７に固定される。よって、チャンネル材６０自体を壁パネル２２の枠体２０や石膏ボード２ｃに固定する必要がなくなり、壁２のリフォーム作業が容易となる。
【００２２】
また、下地材７上から壁２に新たな壁紙１０を張り付けることによって、壁紙１を剥すことなく、壁表面２ａに新たな壁紙１０を平坦に張り付けることができる。したがって、生じるゴミの量が少なく、新しい壁紙１０の張付作業が容易である。
【００２３】
さらに、覆い部材６は、鋼製のチャンネル材６０であるので、凹溝４に容易に嵌め込ことができる。そして、隙間３０をパテ３５で埋めることによって、石膏ボート２ｃを削り取ったことで生じた壁２の防火上の不連続面をなくすことができる。また、このチャンネル材６０により、配線３を囲い込み防火することができる。そして、側壁６０ａの高さ６０ｂと、凹溝４の深さ４ａとがほぼ等しいので、チャンネル材６０を凹溝４の奥まで嵌め込むことによって、壁表面２ａが面一になる。よって、下地材７および新しい壁紙１０を壁表面２ａに平坦に張り付けることができる。さらに、チャンネル材６０の材料単価が安いので、壁２のリフォームコストの低廉化を図ることができる。
【００２４】
なお、本発明の壁のリフォーム方法は本実施の形態に限定されるものではない。
例えば、図５に示すように、壁紙１上から石膏ボード２ｃの一部を壁パネル２２の表面２ｄまで、壁２の上端２ｅから下端２ｆまで延在するようにして削り取ることによって、壁の上端２ｅから下端２ｆまで延在する配線３を施すことができる。よって、この配線の一部を新たなコンセントＣやスイッチＳに接続することによって、コンセントＣやスイッチＳの設置位置２８、２８を壁２の上端２ｅから下端２ｆまでの何処にでも取付けることができる。また、上下階に連通する配線３を設けることもできる。
【００２５】
【発明の効果】
請求項１記載の発明によれば、壁紙上から壁の一部を削り取って凹溝を形成することによって、この凹溝に新たな配線を施すことができる。したがって、壁内に配線を容易に移設や増設できる。そして、配線を装填した凹溝を覆い部材で覆い、壁に壁紙上から下地材を張り付け、この下地材上から壁に新たな壁紙を張り付けることによって、壁紙を剥すことなく、壁表面に新たな壁紙を平坦に張り付けることができる。したがって、生じるゴミの量が少なく、新しい壁紙の張付作業が容易である。
【００２６】
請求項２記載の発明によれば、請求項１と同様の効果を得られることは勿論のこと、覆い部材はチャンネル材で形成されているので、凹溝に容易に嵌め込むことができる。また、側壁の高さと、凹溝の深さとがほぼ等しいので、チャンネル材を凹溝の奥まで嵌め込むことによって、壁表面が面一になる。よって、下地材および新しい壁紙を壁表面に平坦に張り付けることができる。さらに、チャンネル材の材料単価が安いので、壁のリフォームコストの低廉化を図ることができる。
【００２７】
請求項３記載の発明によれば、請求項１または２と同様の効果を得られることは勿論のこと、壁紙上から石膏ボードの一部を壁本体の表面まで削り取ることによって、壁本体を傷つけることなく、凹溝を形成することができる。よって、壁に新たな配線を容易に施すことができる。
【００２８】
請求項４記載の発明によれば、請求項１〜３のいずれかと同様の効果を得られることは勿論のこと、覆い部材が鋼製であるので、石膏ボートを削り取ったことで生じた壁の防火上の不連続面をなくすことができる。また、覆い部材により、配線を囲い込み防火することができる。
【００２９】
請求項５記載の発明によれば、請求項１〜４のいずれかと同様の効果を得られることは勿論のこと、覆い部材の背面を、下地材に接着することによって、覆い部材は壁に張り付けられる下地材に固定される。よって、覆い部材自体を壁本体や石膏ボードに固定する必要がなくなり、壁のリフォーム作業が容易となる。
【図面の簡単な説明】
【図１】本発明の実施の形態の一例を示すもので、壁紙が張られた壁のリフォームの施工手順を示した断面図である。（ａ）はリフォーム前の壁の断面図である。（ｂ）は壁の表面に凹溝を形成した状態の壁の断面図である。（ｃ）は凹溝に配線を装填し、凹溝を覆い部材で覆った状態の壁の断面図である。（ｄ）は壁紙上から下地材を張り付けた状態の壁の断面図である。（ｅ）下地材上から新たな壁紙を張り付けた状態の壁の断面図である。
【図２】同、新たな壁紙を張り付けた状態を示した壁の断面図である。
【図３】同、覆い部材を取付ける状態を示した壁の斜視図である。
【図４】同、図３中のＸ円部の拡大図であって、コンセントの取付ける状態を示した壁の斜視図である。
【図５】同、壁の上端から下端まで凹溝を設けた壁のリフォームの施工手順を示した分解斜視図である。
【図６】同、覆い部材と凹溝との間の隙間をパテで埋めた状態を示した壁の断面図である。
【符号の説明】
１          壁紙
２          壁
２ａ        壁表面
２ｂ        壁本体
２ｃ        石膏ボード
２ｄ        表面（壁本体）
３          配線
４          凹溝
４ａ        深さ（凹溝）
５          開口部
６          覆い部材（チャンネル材）
６０        チャンネル材（覆い部材）
６０ａ      側壁（チャンネル材）
６０ｂ      高さ（チャンネル材）
６０ｃ      背面（覆い部材、チャンネル材）
７          下地材
１０        新しい壁紙
【図１】
0003943387.tif 000002
【図２】
0003943387.tif 000003
【図３】
0003943387.tif 000004
【図４】
0003943387.tif 000005
【図５】
0003943387.tif 000006
【図６】
0003943387.tif 000007